(57)【要約】  通信ネットワークの中で加入者の通信装置に関してショートメッセージサービス（ＳＭＳ）コールを処理する方法が提供される。その方法は、ショートメッセージサービスセンターにおいて通信装置に関連するＳＭＳ要求を受信することと、通信装置に関して受信されたファミリーアクセス制御情報を格納するファミリーアクセス制御データベースにアクセスすることと、データベースの中で見いだされる情報に基づいてショートメッセージサービス要求が許可されるべきかまたは拒絶されるべきかを判定することとを含む。
2010514361.tif 000002
【特許請求の範囲】
【請求項１】
通信ネットワークの中で加入者の通信装置に関してショートメッセージサービス（ＳＭＳ）コールを処理する方法であって、
ショートメッセージサービスセンターにおいて通信装置に関連するＳＭＳ要求を受信することと、
通信装置に関して受信されたファミリーアクセス制御情報を格納するファミリーアクセス制御データベースにアクセスすることと、
データベースの中で見いだされる情報に基づいてショートメッセージサービス要求が許可されるべきかまたは拒絶されるべきかを判定することとを含む、方法。
【請求項２】
ファミリーアクセス制御データベースの中に格納されるファミリーアクセス制御情報が、以下の種類のデータ、すなわち
ファミリーアクセス制御サービスが有効にされているか、または無効にされているか、
すべての送信および受信ＳＭＳコールが常に許可される加入者電話番号の表、
すべての送信および受信ＳＭＳコールが常に排除される加入者電話番号の表、
許可される表および排除される表に入らない加入者電話番号への、およびその番号からのショートメッセージサービス要求が、その間だけ許可される通話期間の表、
使用割当て
のうちの少なくとも１つを含む、請求項１に記載の方法。
【請求項３】
通信装置に関して加入者からファミリーアクセス制御情報を、インターネットを介して受信することをさらに含む、請求項１に記載の方法。
【請求項４】
ＳＭＳ要求が拒絶されるときに、ＳＭＳ拒絶通知を通信装置に送信することをさらに含む、請求項１に記載の方法。
【請求項５】
ＳＭＳ要求が拒絶されるときに、ＳＭＳ拒絶通知を加入者に送信することをさらに含む、請求項４に記載の方法。
【請求項６】
通信ネットワークの中で加入者の通信装置に関してショートメッセージサービス（ＳＭＳ）コールを処理する装置であって、
通信装置に関してファミリーアクセス制御情報を格納するファミリーアクセス制御データベースと、
ショートメッセージサービスセンターとを備え、ショートメッセージサービスセンターがファミリーアクセス制御データベースにアクセスし、データベースの中で見いだされる情報に基づいてショートメッセージサービス要求が許可されるべきかまたは拒絶されるべきかを判定するように機能する、装置。
【請求項７】
ファミリーアクセス制御データベースの中に格納されるファミリーアクセス制御情報が、以下の種類のデータ、すなわち
ファミリーアクセス制御サービスが有効にされているか、または無効にされているか、
すべての送信および受信ＳＭＳコールが常に許可される加入者電話番号の表、
すべての送信および受信ＳＭＳコールが常に排除される加入者電話番号の表、
許可される表および排除される表に入らない加入者電話番号への、およびその番号からのショートメッセージサービス要求が、その間だけ許可される通話期間の表、
使用割当て
のうちの少なくとも１つを含む、請求項６に記載の装置。
【請求項８】
ショートメッセージサービスセンターが、通信装置に関して加入者からファミリーアクセス制御情報を、インターネットを介して受信するようにさらに機能する、請求項６に記載の装置。
【請求項９】
データ処理装置上で実行可能であり、通信ネットワークの中で通信装置に関してショートメッセージサービス（ＳＭＳ）コールを処理するために使用可能な１セットのプログラム命令を格納する記憶媒体であって、１セットのプログラム命令が、
ショートメッセージサービスセンターにおいてＳＭＳ要求を受信するための命令と、
通信装置に関してファミリーアクセス制御情報を格納するファミリーアクセス制御データベースにアクセスするための命令と、
データベースの中で見いだされる情報に基づいてショートメッセージサービス要求が許可されるべきかまたは拒絶されるべきかを判定するための命令とを含む、記憶媒体。
【請求項１０】
ファミリーアクセス制御データベースの中に格納されるファミリーアクセス制御情報が、下記の種類のデータ、すなわち
ファミリーアクセス制御サービスが有効にされているか、または無効にされているか、
すべての送信および受信ＳＭＳコールが常に許可される加入者電話番号の表、
すべての送信および受信ＳＭＳコールが常に排除される加入者電話番号の表、
許可される表および排除される表に入らない加入者電話番号への、およびその番号からのショートメッセージサービス要求が、その間だけ許可される通話期間の表、
使用割当て
のうちの少なくとも１つを含む、請求項９に記載の記憶媒体。
【発明の詳細な説明】
【技術分野】
【０００１】
本発明は、一般にショートメッセージサービス（ＳＭＳ）に関し、より詳細には加入者（例えば、親）が、彼らの携帯電話を使用することができる他人（例えば、子供）のショートメッセージアクセスを制御することを可能にする方法および装置に関する。しかし、本発明は、また、他の用途に適用できることを理解されたい。例えば、本発明は、クライアントに対して、高度メッセージサービス（ＥＭＳ）、マルチメディアメッセージサービス（ＭＭＳ）、および他の種類のメッセージサービスを用いて実施されることができる。
【背景技術】
【０００２】
背景として、ショートメッセージサービス（ＳＭＳ）は、加入者電話番号および／またはインターネットプロトコル（ＩＰ）アドレスへの、および加入者電話番号および／またはインターネットプロトコル（ＩＰ）アドレスからのショートテキストメッセージの送信である。それは、移動体への、および移動体からのメッセージを蓄積交換方式で送信することである。送信元移動体からのメッセージ（テキストのみ）は中央ショートメッセージサービスセンター（ＳＭＳＣ）に格納され、ＳＭＳＣは、次に、宛先の移動体にそれを転送する。これは、受信者が出られない場合には、そのショートメッセージはデータベースの中に格納され、後で送信されることができることを意味する。それぞれのショートメッセージは、１６０字より短くなければならない。これらの文字は、テキスト（英数字）またはバイナリの、ノンテキストショートメッセージであってよい。
【０００３】
現在の電気通信ネットワークは、２点間ＳＭＳを提供する。典型的には、ＳＭＳは、パーソナル通信システム（ＰＣＳ）、移動体通信用グローバルシステム（ＧＳＭ）、符号分割多元接続（ＣＤＭＡ）、時分割多元接続（ＴＤＭＡ）、およびページングネットワークを含む無線ネットワークを介して、移動局（ＭＳ）への、および移動局（ＭＳ）からのメッセージを送信するために使用される。しかし、公衆交換電話網（ＰＳＴＮ）、私設電話網、インターネット、ならびに私設のイントラネットおよびインターネットなど、他の種類のネットワークを介してショートメッセージを送信または受信可能な他の種類の装置もまた開発されてきた。
【０００４】
ＳＭＳの一般的な用途の１つは、「今夜７時半にｘｙｚで会いましょう」というような短いメッセージを交換することを含む。ＳＭＳは、このような種類のショートメッセージに、とりわけ適している。というのは、ＳＭＳは、誰かに電話をかけて同じメッセージを伝えるよりもはるかに安価であるからである。同じメッセージを伝えるために誰かに電話をかけると、必ず余計に時間がかかり、それゆえ余計に費用がかかるであろう。また、多くのオペレータが、ＳＭＳを介する電子メールサービスを提供している。各ユーザは、署名登録において電子メールアドレスを割り当てられ、その電子メールに送付されるすべてのメッセージは、ショートメッセージに変換され、移動体に送付される。電子メールメッセージ（１６０字未満）を、携帯電話からすべての電子メールアドレスに、ＳＭＳを介して送ることができる。さらに、ニュース、天気、娯楽、および株価などのような情報サービスは、ＮＥＷＳ、ＷＥＡＴＨなどのキーワードをショートメッセージセンター番号に送るだけで利用することができる。
【発明の概要】
【発明が解決しようとする課題】
【０００５】
したがって、ＳＭＳは、若者らが彼らの友達やクラスメートと、音声電話を行使することなく交信するための便利な手段となってきた。ある地域においては、ＳＭＳコールは、通常の音声電話よりも低料金で課金することさえしている。ＳＭＳがより普及するにつれて、招かれざる、または不適切なメッセージが、加入者に送付される可能性がある。また、若者らの友達の何人かは、彼らに不適切なショートメッセージを送る可能性がある。
【課題を解決するための手段】
【０００６】
本発明は、上記の問題その他を解決する新しい、改良された方法および装置を意図している。
【０００７】
加入者（例えば、親）が、彼らの携帯電話を使用することができる他人（例えば、子供）のショートメッセージアクセスを制御することを可能にする方法および装置が提供される。
【０００８】
本発明の一態様においては、通信ネットワークにおける加入者の通信装置に関してショートメッセージサービス（ＳＭＳ）コールを処理する方法が提供される。この方法は、ショートメッセージサービスセンターにおいて通信装置に関連するＳＭＳ要求を受信することと、通信装置に関して受信されたファミリーアクセス制御情報を格納するファミリーアクセス制御データベースにアクセスすることと、データベースの中で見いだされる情報に基づいて、ショートメッセージサービス要求が許可されるべきか拒絶されるべきかを判定することとを含む。
【０００９】
本発明の別の態様においては、通信ネットワークの中で加入者の通信装置に関してショートメッセージを処理するための装置が提供される。そのシステムは、通信装置に関してファミリーアクセス制御情報を格納するファミリーアクセス制御データベースと、ショートメッセージサービスセンターとを備え、ショートメッセージサービスセンターが、ファミリーアクセス制御データベースにアクセスし、データベースの中で見いだされる情報に基づいてショートメッセージサービス要求が許可されるべきかまたは拒絶されるべきかを判定するように機能する。
【００１０】
本発明のさらに別の態様では、データ処理装置上で実行可能な１セットのプログラム命令を格納しており、通信ネットワークの中で通信装置に関してショートメッセージを処理するのに使用可能な記憶媒体が提供される。１セットのプログラム命令は、ショートメッセージサービスセンターにおいてショートメッセージサービス要求を受信するための命令と、通信装置に関してファミリーアクセス制御情報を格納するファミリーアクセス制御データベースにアクセスするための命令と、データベースの中で見いだされる情報に基づいてショートメッセージサービス要求が許可されるべきかまたは拒絶されるべきかを判定するための命令とを含む。
【００１１】
本発明の適用可能性のさらなる範囲は、以下に提供される詳細な説明から明らかになるであろう。しかし、詳細な説明および具体的な実施例は、本発明の好ましい実施形態を示してはいるが、例示としてのみ与えられていることを理解されたい。というのは、本発明の精神および範囲の中で種々の変更および改変が、当業者には明らかになるであろうからである。
【００１２】
本発明は、装置のさまざまな部分および方法のさまざまなステップの構成、配置および組合せの中に存在し、それによって、意図された目的は以下に、より詳細に説明され、特許請求の範囲の中で明確に指摘され、添付図面の中で例示されるとおりに達成される。
【図面の簡単な説明】
【００１３】
【図１】本発明の態様を実施するのに適した通信環境を示すブロック図である。
【図２】本発明の一態様によるファミリーアクセス制御データベースの中に格納されるデータのメモリーレイアウトを示す図である。
【図３】本発明の一態様による、エンドユーザが他人のショートメッセージアクセスを制御することを可能にするための処理を示すフローチャートである。
【図４】阻止される受信メッセージに対するコールの流れ図である。
【図５】許可される受信メッセージに対するコールの流れ図である。
【図６】阻止される送信メッセージに対するコールの流れ図である。
【図７】許可される送信メッセージに対するコールの流れ図である。
【発明を実施するための形態】
【００１４】
次に図を参照する。図において、表示は、単に例示的な実施形態を示すことを目的とし、請求されている主題を制限することを目的としていない。図１は、現在説明されている実施形態が組み込まれることができる基本的通信システム１０の図を提供する。システム１０は、例えば、無線（ＣＤＭＡ、ＧＳＭ、ＵＭＴＳ）、有線（ＰＳＴＮ、ＰＬＭＮ）、および／または３ＧＰＰ／３ＧＰＰ２マルチメディア構成要素を含むことができる。
【００１５】
ＡＮＳＩ−４１（ａｋａ  ＴＩＡ／ＥＩＡ−４１またはＩＳ−４１）として知られている規格は、ＣＤＭＡシステムに対してローミングサービスを提供する。それは、無線ネットワークの主要な要素が通信することを可能にする高水準プロトコルである、移動通信応用プロトコル（ＭＡＰ）の好例である。主要なネットワーク要素は、以下に説明される。
【００１６】
第１の通信装置１２は、加入者の通信装置を表し、システム１０と通信中であることが示されている。第１の通信装置１２は、携帯電話、個人情報機器（ＰＤＡ）などのハンドヘルド計算装置またはディジタル装置、あるいは任意の他のそのような装置を含む、ショートメッセージを受信および送信するのに適した任意の種類の通信装置でよい。本発明者らの実施例においては、第１の通信装置１２は、加入者の子供らなど、他人によって少なくとも一部の時間使用される移動局として示されている。
【００１７】
第１の移動局１２は、システム１０において、第１の移動局１２と種々の通信チャネルとの間の通信を方向付ける第１の移動交換局（ＭＳＣ）１４と通信する。第１のＭＳＣ１４の主な機能は、コールをルーティングし、コールハンドリング機能を実施することである。一般に、第１のＭＳＣ１４は、ホームロケーションレジスタ（ＨＬＲ）１６などのデータベースの中で情報にアクセスすることによって、コールをルーティングする。システム１０は、地理的に離れて配置される、あるいは隔置される複数のＭＳＣ１４を含むことができる。
【００１８】
第１のＳＭＳＣ（ショートメッセージサービスセンター）１８は、第１の移動局１２への、および移動局１２からのメッセージを格納しかつ転送する仕事を実施するエンティティである。
【００１９】
第１のＳＭＳゲートウェイＭＳＣ（ＳＭＳ  ＧＭＳＣ）２０は、ショートメッセージを受信することもできるゲートウェイＭＳＣである。第１のＳＭＳ  ＧＭＳＣ２０は、モバイルネットワークの、ＡＮＳＩ−４１ネットワーク２１との接触点である。電話ネットワークは、メッセージを送信することにより通信するために必要な多くの高度にコンピュータ化された要素を含む。これは、シグナリングとして知られている。ＳＳ７（Ｎｏ．７信号方式）は、電話ネットワークを相互に接続するディジタル信号方式である。それは、特にコアネットワークにおいて、旧式のトーンベースの信号方式に、大部分、取って代わった。ＳＳ７は、ＡＮＳＩ−４１のメッセージを移送するのに理想的に適している。それは、ネットワーク上の任意の２点の間（例えば、ＭＳＣとＨＬＲの間）でメッセージを移送する能力を有する。ＳＳ７メッセージは、ポイントコード（各電話ネットワークに割り当てられた固有の数字アドレス）によるか、またはグローバルタイトル（電話カード番号、ＩＭＳＩ、または電話番号など、電話向けアドレスの使用）によるかのいずれかによりアドレスされる。ポイントコードは、インターネット（それは、ＴＣＰおよび他の高水準ＩＰプロトコルにより使用されるポート番号に相当するサブシステム番号さえも有する）上のＩＰアドレスに相当し、グローバルタイトルはドメイン名に相当する。
【００２０】
大部分のＡＮＳＩ−４１ネットワークは、ＡＮＳＩ  ＳＳ７ネットワークを使用するか、またはＡＮＳＩポイントコードに直接アドレスする方法を有する。
【００２１】
第１のＳＭＳＣ１８からのショートメッセージを受信すると、第１のＳＭＳ  ＧＭＳＣ２０は、第１のＨＬＲ１６から第１の移動局１２の現在位置を質問するために、ＡＮＳＩ  ＳＳ７ネットワークを使用することができる。
【００２２】
第１のＨＬＲ１６は、一般に加入者／顧客プロファイル情報を含み、無線ネットワークの場合、すなわち第１の移動局１２が現在位置している地域（ＭＳＣによってカバーされている）の場合、それは、移動管理情報をも含むことができる。こうして、第１のＳＭＳ  ＧＭＳＣ２０は、ショートメッセージを正しいＭＳＣに伝えることができる。また、第１のＨＬＲ１６は、ネットワークが、移動局が正当であることを判定することを可能にする暗号情報を含む認証センター（図示せず）を含むことができる。
【００２３】
ＶＬＲ（ビジターロケーションレジスタ）は各ＭＳＣに対応しており、移動識別および移動局が現在置かれているセル（または、セル群）などの情報を含む、移動局についての一時的情報を含む。したがって、システム１０は、第１のＭＳＣ１４との通信である第１のＶＬＲ２２を含む。第１のＶＬＲ２２からの情報を使用して、第１のＭＳＣ１４は、情報（ショートメッセージ）を対応する第１の基地局（ＢＳ）２４に移すことができ、基地局２４は、第１の移動局１２にショートメッセージを送信する（または移動局１２からショートメッセージを受信する）。第１のＢＳ２４は、第１の移動局１２への、および移動局１２からの情報を、エアインタフェースを介して送信および受信するトランシーバから成る。この情報は信号チャネルに送られるので、たとえ音声またはデータのコールが発生している場合でも、移動体はメッセージを受信できる。
【００２４】
任意の数の追加の通信装置（または移動局）３２が、ショートメッセージを受信しかつ送信することができる。第２のＭＳＣ３４、第２のＶＬＲ３６、第２のＳＭＳＣ３８、第２のＳＭＳ  ＧＭＳＣ４０、第２のＨＬＲ４２、および第２のＢＳ４４など、対応する１セットのネットワーク構成要素は、追加の移動局３２が上述のこれらの機能を実施することを可能にする。
【００２５】
好ましくは、第１のＳＭＳＣ１８は、以下により詳細に説明されるように、第１の移動局１２に関する、ＳＭＳに対する制御規則を格納する特別なファミリーアクセス制御（ＦＡＣ）データベース４６を含む。加入者４８は、移動局１２に関して適用ができ、ＦＡＣデータベース４６の中に格納されるペアレンタルコントロールデータを入力（セットアップ、およびアップデート）するために、ＩＰネットワーク５０または他の適切なネットワークを介してＳＭＳＣ１８と通信することができる。さらに、システム１０は、加入者のプリペイド口座が適用できる場合は、その状況に関する情報を含むプリペイド機能５２を含むことができる。一般に、プリペイドは、加入者が最初に一定の金額を支払い、次いでサービス提供者が実際の使用に基づいて適切な金額を控除することを意味する。本明細書で説明される使用割当て（Ｕｓａｇｅ  Ｑｕｏｔａ）は、プリペイド機能５２と共に限定的に使用される。
【００２６】
図１における通信システム１０の表現は、その複雑さを最小にするために単純化されている。通信システム１０は、通信システム１０の運用に必要な他の要素および施設を備えることができることを理解されたい。本明細書で使用されるように、「発信元」および「着信先」は、コールの端点のことを言う。すなわち、発信元は、コールを発信する発呼者およびそれに対応する、コールを発信するのに必要なネットワーク要素のことを言い、着信先は、コールを受信する人およびそれに対応する、コールを受信するのに必要なネットワーク要素のことを言う。
【００２７】
第１のオペレーションは、加入者（例えば、親）が、後に他人（例えば、１人または複数人の子供）により使用される可能性のある、所与の移動局に関して、制御されたＳＭＳのパラメータをセットアップすることである。したがって、加入者はサービス提供者のウェブサイト上の彼または彼女のアカウントにアクセスするか、またはサービス提供者を直接呼び出さねばならない。加入者は、次にＳＭＳＣ１８における特別なファミリーアクセス制御（ＦＡＣ）データベース４６の中にロードされなければならない所望の規則制御を入力する。
【００２８】
ＳＭＳまたは音声の制御に対する以下の規則が適用されることができる：
・「規制なし」は、ペアレントコントロールサービスを無効にする／有効にする、加入者レベルのコンフィギュレーションのことを言う。
・「常時許可」は、送信および受信の、音声およびＳＭＳのコールが常に許可される加入者電話番号の一覧表のことを言う。
・「常時排除」は、送信および受信の、音声およびＳＭＳのコールが常に排除される加入者電話番号の一覧表のことを言う。
・「許可期間」は、許可される表および排除される表に入らない、定められた期間の間だけ許可される加入者電話番号への／からのコールのことを言う。
・「使用割当て」は、移動局が許可されているコール時間量のことを言う。許可されている期間中になされたコールがカウントされる。使用割当てが尽きると、コールは切断されるかまたは拒絶される。
【００２９】
当然ながら、これは包括的な規則の表ではなく、他の規則が適用されてもよいこと、また上で参照された規則が、異なる名称で呼ばれながら同様の一般的な機能を実施してもよいことを理解されたい。
【００３０】
ペアレンタルコントロール規則は、送信および受信両方のコールおよびショートメッセージに適用することができる。常時許可、常時排除、および許可期間の規則は、音声またはＳＭＳのいずれかあるいは両方に、選択的に適用されることができる。任意選択により、移動局１２のエンドユーザ（子供）は、サービス提供者のウェブサイトを介して、ならびにサービス提供者を直接呼び出すことによって、ペアレンタルコントロール情報について質問することができる可能性がある。
【００３１】
ＦＡＣデータベース４６は、図２に示すように、各加入者に対していくつかのデータサブブロックを含むことができる。それらはスーパブロック５０として示され、そのフィールドのすべてが個々の加入者に対して満たされているわけではない。スーパブロックは、当業界で知られているように、スーパブロックの中のいくつかのフィールドのうちのいずれか１つを同定することによってアクセスされることができる。スーパブロック５０は、以下のデータサブブロック、すなわち「規制なし」データを含むブロック５２、「常時許可」データを含むブロック５４、「常時排除」データを含むブロック５６、「許可期間」データを含むブロック５８、および「使用割当て」データを含むブロック６０を含むことができる。当然ながら、任意の数の追加のブロック６２が、他の加入者データを格納するためにスーパブロック５０の中に供給されることができる。
【００３２】
ＳＭＳＣ１８がショートメッセージのためのペアレンタルコントロールを実施する実施例の概略を示すフローチャートが、図３に示されている。はじめに、所与の加入者電話番号に関してＳＭＳ要求が、移動局１２によってなされる（１０２）。ＳＭＳＣ１８は、加入者がペアレントコントロールを有効にしている（それは「規制なし」フィールドが「いいえ」にセットされていることを意味する）かどうかをチェックするために、ＦＡＣデータベース４６にアクセスする（１０４）。「規制なし」フィールドが「はい」にセットされている場合は、サービス（すなわち、ＳＭＳ要求）は許可される（１０６）。「規制なし」フィールドが「いいえ」にセットされている場合は、「常時許可」フィールドがチェックされる（１０８）。
【００３３】
「常時許可」フィールドが「はい」にセットされている場合は、ＳＭＳ要求は許可される（１０６）。「常時許可」フィールドが「いいえ」にセットされている場合は、「常時排除」フィールドがチェックされる（１１０）。
【００３４】
「常時排除」フィールドが「はい」にセットされている場合は、ＳＭＳ要求は拒絶される（１１２）。「常時排除」フィールドが「いいえ」にセットされている場合は、「許可期間」フィールドがチェックされる（１１４）。
【００３５】
「許可期間」フィールドが「いいえ」にセットされている場合は、ＳＭＳ要求は拒絶される（１０６）。「常時排除」フィールドが「はい」にセットされている場合は、ＳＭＳＣ１８は十分な割当てが利用可能かどうかをチェックする（１１６）。
【００３６】
十分な割当てが利用可能な場合は、ＳＭＳ要求は許可される（１０６）。利用可能な十分な割当てがない場合は、ＳＭＳ要求は拒絶される（１１２）。
【００３７】
図４から図７は、本発明の態様による種々のコールの流れを示す。
【００３８】
図４は、ユーザ（すなわち、子供）が移動局１２を介してショートメッセージを送ることを試みるが、そのコールが拒絶または阻止される状況を取り扱う。はじめに、第１の移動局１２から第２の移動局３２に関するショートメッセージを含むＡＮＳＩ−４１  ＳＭＳＤｅｌｉｖｅｒｙＰｏｉｎｔＴｏＰｏｉｎｔ（ＳＭＤＰＰ）メッセージが、発信元のＳＭＳＣ１８によって受信される（２０２）。発信元のＳＭＳＣ１８は、図３に概略を示すように、ペアレンタルコントロール選別を実施するために、ＡＮＳＩ−４１  ＳＭＳＲｅｑｕｅｓｔメッセージをＦＡＣ４６に送信する（２０４）。ＦＡＣデータベース４６の中のデータに基づいてコールは拒絶され、ショートメッセージは廃棄される（２０６）。次に、ＳＭＳ拒絶通知が発信元のＳＭＳＣ１８から移動局１２に転送される（２０８）。任意選択により、発信元のＳＭＳＣ１８はまた、ＳＭＳ拒絶通知を着信先のＭＳＣ３４にも転送し（２１０）、ＭＳＣ３４はＳＭＳ拒絶通知を、１つまたは複数の、加入者が指定した番号またはＩＰアドレスに転送する（２１２）。拒絶通知はまた、阻止された加入者電話番号、または他の情報を含むことができる。
【００３９】
図５は、ユーザ（すなわち、子供）が移動局１２を介してショートメッセージを送信することを試みて、そのコールが許可される状況を取り扱う。はじめに、第１の移動局１２から第２の移動局３２に関するショートメッセージを含むＳＭＤＰＰメッセージが、発信元のＳＭＳＣ１８によって受信される（２２２）。発信元のＳＭＳＣ１８は、図３に概略を示すように、ペアレンタルコントロール選別を実施するために、ＡＮＳＩ−４１  ＳＭＳＲｅｑｕｅｓｔメッセージをＦＡＣ４６に送信する（２２４）。ＦＡＣデータベース４６の中のデータに基づいて、コールは許可される（２２６）。次に、発信元のＳＭＳＣ１８は、プリペイド機能５２が適用可能な場合には、そこにＤｅｂｉｔＳｅｒｖｉｃｅＲｅｑｕｅｓｔを送信し、プリペイド機能５２は、そのデータベースをチェックして、コールを完了させるのに十分な資金が口座の中でまだ使用可能であることを判定する（２２８）。結果として、プリペイド機能５２は、ＳＵＣＣＥＳＳメッセージで応答する（２３０）。次に、発信元のＳＭＳＣ１８は、ＳＭＤＰＰメッセージ中のショートメッセージを着信先のＳＭＳＣ３８に送信し（２３２）、ＳＭＳＣ３８は、それを着信先のＭＳＣ３４に転送する（２３４）。着信先のＭＳＣ３４は、ｓｍｄｐｐ受信通知メッセージで応答する（２３６）。最後に、着信先のＭＳＣ３４は、ショートメッセージを含むＳＭＤＰＰメッセージを第２の移動局３２に転送する（２３８）。
【００４０】
図６は、ショートメッセージが第１の移動局１２に方向付けられるが、そのコールが阻止される状況を取り扱う。はじめに、ショートメッセージを含むＳＭＤＰＰメッセージが、発信元のＳＭＳＣ３８により受信される（２４２）。発信元のＳＭＳＣ３８は、第１の移動局１２の位置、および移動局１２がショートメッセージを受信する資格があるかどうかを確認するために、ＳＭＤＰＰメッセージを着信先のＳＭＳＣ１８に送信する（２４４）。着信先のＳＭＳＣ１８は、図３に概略を示すように、ペアレンタルコントロール選別を実施するために、ＳＭＳＲｅｑｕｅｓｔメッセージをＦＡＣ４６に送信する（２４６）。ＦＡＣデータベース４６の中のデータに基づいてコールは拒絶され、ショートメッセージは廃棄される（２４８）。ＳＭＳ拒絶通知を含むＳＭＤＰＰメッセージが着信先のＳＭＳＣ１８から発信元のＳＭＳＣ３８に転送され（２５０）、ＳＭＳＣ３８はＳＭＤＰＰメッセージを、コールを最初に開始した第２の移動局３２に転送する（２５２）。任意選択により、着信先のＳＭＳＣ１８はまた、ＳＭＳ拒絶通知を含むＳＭＤＰＰメッセージを着信先のＭＳＣ３４にも転送し（２５４）、ＭＳＣ３４はそれを、１つまたは複数の、加入者が指定した番号またはＩＰアドレスに転送する（２５６）。拒絶通知はまた、阻止された加入者電話番号、または他の情報を含むことができる。
【００４１】
図７は、ショートメッセージが第１の移動局１２に方向付けられ、そのコールが許可される状況を取り扱う。はじめに、ショートメッセージを含む受信ＳＭＤＰＰメッセージが、発信元のＳＭＳＣ３８により受信される（２６２）。発信元のＳＭＳＣ３８は、第１の移動局１２の位置、および移動局１２がショートメッセージを受信する資格があるかどうかを確認するために、ＳＭＤＰＰメッセージを着信先のＳＭＳＣ１８に送信する（２６４）。着信先のＳＭＳＣ１８は、図３に概略を示すように、ペアレンタルコントロール選別を実施するために、ＳＭＳＲｅｑｕｅｓｔメッセージをＦＡＣ４６に送信する（２６６）。ＦＡＣデータベース４６の中のデータに基づいて、コールは許可される（２６８）。次に、着信先のＳＭＳＣ３８は、プリペイド機能５２が適用可能な場合には、そこにＤｅｂｉｔＳｅｒｖｉｃｅＲｅｑｕｅｓｔを送信し（２７０）、プリペイド機能５２は、そのデータベースをチェックして、コールを完了させるのに十分な資金が口座の中でまだ使用可能であることを判定し、ＳＵＣＣＥＳＳメッセージで応答する（２７２）。次に、着信先のＳＭＳＣ３８は、ＳＭＤＰＰメッセージの中のショートメッセージを着信先のＭＳＣ３４に送信し（２７４）、ＭＳＣ３４はｓｍｄｐｐ受信通知メッセージで応答し（２７６）、ＳＭＤＰＰメッセージを第１の移動局１２に転送する（２７８）。移動体がその時点でショートメッセージを受信できない場合は、そのメッセージは着信先のＳＭＳＣ１８により保有され、その後、着信先のＭＳＣ１４およびＨＬＲ１６がＭＳＣ１８に、移動局１２が再び使用可能であることを伝えるときに転送されることができる。
【００４２】
本発明は、ＳＭＳに限定されない。ＳＭＳは、第１世代のＧＳＭサービスである。高度メッセージサービス（ＥＭＳ）はＳＭＳを拡張したものであり、それは、特別なテキスト書式設定（すなわち、太字またはイタリック体）、アニメーション、画像、アイコン、音響効果、および特別な呼び出し音を有するメッセージを可能にする。このサービスは、かなりの程度、既存のＳＭＳに基づいている。それは、基本的にはＳＭＳにおけるユーザデータヘッダ（ＵＤＨ）（ＵＤＨは、メッセージヘッダの中にバイナリ情報を含むことを可能にする）を拡張しており、実際、ネットワークインフラストラクチャに対するアップグレードは必要ない。しかし、ハンドセットはＥＭＳに準拠しなければならない。
【００４３】
ＳＭＳの発展における次のステップは、テキスト、音響、映像、およびビデオの組合せを可能にするマルチメディアメッセージングサービス（ＭＭＳ）であり、そのステップは、ネットワークインフラストラクチャにいくらかの変更を必要とする。ＭＭＳは、画像および対話型ビデオをサポートする。ＭＭＳは、ユーザがモバイル挨拶状およびモバイル名刺を送ることを可能にする。ＭＭＳは、ＷＡＰ、ＭＥｘＥ、およびＳＭＴＰのような規格化されたプロトコルを使用する。ＥＭＳは、コンテンツをモバイル装置に合わせてリフォーマットすることを必要とするが、ＭＭＳには、そのような必要はない。ＭＭＳは、いかなるベアラサービス上でも実行できるが、ＧＰＲＳまたは３Ｇのベアラサービスを、事実上必要とする。ＳＭＳとは対照的に、ＭＭＳは、専用のチャネルを必要とする。それはまた、マルチメディアメッセージリレー、ＭＭＳサーバ、およびＭＭＳユーザデータベースのようなネットワーク要素を必要とする。ＭＭＳは、第３世代パートナーシッププロジェクト（３ＧＰＰ）により規格化されつつある。ＥＭＳ規格は、３ＧＰＰ技術仕様：３Ｇ  ＴＳ  ２３．０４０、「ショートメッセージサービス（ＳＭＳ）の技術的実現」の一部である。
【００４４】
上述のいくつかの部分は、中央演算処理装置（ＣＰＵ）、ＣＰＵ用記憶格納装置、および接続された表示装置を含む、従来型コンピュータ構成要素により実施されるデータビット上の演算の、アルゴリズムおよび記号表現の観点から提供された。これらのアルゴリズムによる説明および表現は、データ処理業界における技術者により、彼らの仕事の実体を他の当業者に最も効果的に伝えるために使用される手段である。一般に、アルゴリズムは、所望の結果に導く、首尾一貫した一連のステップとして認識されている。そのステップは、物理量の物理的取扱いを必要とするステップである。通常、必須ではないとしても、これらの量は、格納されること、移送されること、組み合わされること、比較されること、および他の方法で取り扱われることができる、電気的または磁気的信号の形を取る。その折々に、主に一般的用法上の理由から、これらの信号をビット、値、要素、記号、文字、言葉、数、などと呼ぶことが好都合であることが分かっている。
【００４５】
しかし、これらおよび同様の言葉のすべては、適切な物理量と関連しなければならず、単に、これらの量に適用された便利な標示であるにすぎないことを理解されたい。別段に明記しない限りは、上述から明らかなように、説明のすべてにわたって「処理すること」または「演算処理すること」または「計算すること」または「判定すること」または「表示すること」などの言葉を使用する記述は、コンピュータシステムのレジスタおよびメモリの中の物理（電子）量として表されるデータを、コンピュータシステムのメモリまたはレジスタ、あるいは他のそのような情報の格納、送信または表示の装置の中の物理量として同様に表される他のデータに処理し、変換する、コンピュータシステム、または同様の電子演算処理装置の動作および処理を意味することを理解されたい。
【００４６】
本発明は、また、本明細書における演算を実施するためのシステムにも関する。これらのシステムは、必要とされる目的のために特別に構築されてもよく、あるいはそれらは、コンピュータの中に格納された１つまたは複数のコンピュータプログラムにより選択的に活性化されまたは再構成される、１台または複数台の汎用コンピュータを含んでもよい。このようなコンピュータプログラムは、フロッピー（登録商標）ディスク、光ディスク、ＣＤ−ＲＯＭ、および磁気光ディスクを含む任意の種類のディスク、リードオンリーメモリ（ＲＯＭ）、ランダムアクセスメモリ（ＲＡＭ）、ＥＰＲＯＭ、ＥＥＰＲＯＭ、磁気カードまたは光カード、あるいは電子命令を格納するのに適する任意の種類の媒体などであるがそれらに限らず、それぞれがコンピュータシステムバスに結合されている、コンピュータ読み取り可能な記憶媒体の中に格納されることができる。
【００４７】
本明細書で提供されるアルゴリズムおよび表示は、いかなる特別なコンピュータ、または他の装置とも本質的に関連してはいない。種々の汎用システムが、本明細書の教示に従うプログラムを用いて使用されてよいし、あるいは本明細書に記載される方法を実施するために、より特化された装置を構築することが好都合であると判明することがあり得る。さまざまなこれらのシステムに対する構造は、説明から明らかとなろう。さらに、本発明は、いかなる特定のプログラミング言語に関しても記載されていない。さまざまなプログラミング言語が、本明細書に記載されるように、本発明の教示を実施するために使用されることができることを理解されたい。
【００４８】
機械読み取り可能な媒体は、機械（例えば、コンピュータ）により読み取り可能な形における情報を格納し、または送信するための任意のメカニズムを含む。例えば、機械読み取り可能な媒体は、リードオンリーメモリ（「ＲＯＭ」）、ランダムアクセスメモリ（「ＲＡＭ」）、磁気ディスク記憶媒体、光学的記憶媒体、フラッシュメモリデバイス、あるいは電気的、光学的、音響学的または他の形態の伝播信号（例えば、搬送波、赤外線信号、ディジタル信号など）などを含む。
【００４９】
以上の説明は、単に、本発明の特別な実施形態の開示を提供するものであり、本発明をそれらに限定するという目的を意図するものではない。したがって、本発明は、上述の実施形態だけに限定されない。むしろ、本発明の範囲に入る代替実施形態を、当業者は想到することができるであろうことを認識されたい。
【図１】
2010514361.tif 000003
【図２】
2010514361.tif 000004
【図３】
2010514361.tif 000005
【図４】
2010514361.tif 000006
【図５】
2010514361.tif 000007
【図６】
2010514361.tif 000008
【図７】
2010514361.tif 000009
【国際調査報告】
2010514361.tif 000010
2010514361.tif 000011
2010514361.tif 000012